(57)【要約】【課題】  これまで、業務用および家庭用空調装置等を組み合わせた異種混在型冷凍・空調装置システムを構築する場合、双方が用いる通信方式に互換性がないため、通信方式や情報量の差を補うための通信変換装置を介して、互いの情報交換を可能としていた。そのため、開発費および開発負荷は増大するという問題があった。これに対し、様々なニーズに見合った空調装置の室外機と室内機の組合せを、簡単な構成で効率良く開発する。【解決手段】  業務用および家庭用空調装置等で用いる通信方式を、制御内容に応じて基本情報と拡張情報に区分けし、コマンド体系および手順を統一し、情報量の差分は各コマンドを複数の形態に使い分ける。【選択図】        図９
2005249337.tif 000002
【特許請求の範囲】
【請求項１】
冷凍サイクルの圧縮機を搭載し熱源側として設けられる室外機と、前記室外機と冷媒用配管で接続され冷媒を循環して空気を空調する負荷側として設けられる室内機と、前記室外機及び室内機の一方の制御を行う通信親機と、前記通信親機と接続され前記通信親機と異なる種類の通信に対応する前記室外機及び室内機の他方の制御を行う通信子機と、前記通信親機のイニシャル設定コマンド信号に設けられ前記通信親機と通信子機の間の制御内容の情報交換をする通信の種類の選択を行う通信対応手段と、を備え、前記通信対応手段は前記通信親機と通信子機の通信の種類を前記通信親機と前記通信子機との間で共通な通信の種類である共通情報通信を選択し情報交換することを特徴とする冷凍・空調装置。
【請求項２】
前記通信対応手段は、異なる通信の種類を有する複数の通信子機に対し、前記通信親機及び前記複数の通信子機の全てに共通な前記共通情報通信を選択することを特徴とする請求項1記載の冷凍・空調装置。
【請求項３】
前記通信親機と通信子機の通信を行う前記通信親機と前記通信子機との間で共通な通信の種類である共通情報通信は、前記室内機と前記室外機の運転停止などの基本動作を行う基本情報、及び、前記通信親機と前記通信子機との間で共通な通信の種類に含まれる前記室外機もしくは前記室内機に設けられた機器などの制御を行う拡張情報を含むことを特徴とする請求項1又は２記載の冷凍・空調装置。
【請求項４】
前記通信対応手段は前記拡張情報の有無及び前記拡張情報の異同に基づいて通信の種類の選択を行うことを特徴とする請求項１乃至3のいずれかに記載の冷凍・空調装置。
【請求項５】
前記拡張情報の異同を識別する情報識別手段は制御情報を有する通常コマンド信号に設けられることを特徴とする請求項3又は４記載の冷凍・空調装置。
【請求項６】
前記基本情報と前記拡張情報は前記通信親機と通信子機の間で交互に送受信が行われることを特徴とする請求項3又は４又は５記載の冷凍・空調装置。
【請求項７】
室外機及び室内機の一方の制御を行う通信親機と接続され前記室外機及び室内機の他方の制御を行う通信子機との間で、前記通信親機と前記通信子機が異なる種類の通信を行う通信確認ステップと、前記通信確認ステップにて前記通信親機のイニシャル設定コマンド信号により前記通信親機と通信子機の間で制御内容の情報交換による通信の種類の選択を行う選択ステップと、前記選択ステップにて選択された通信の種類で前記室外機及び室内機の運転の制御を行うステップと、を備え、前記選択ステップは前記通信親機と通信子機の通信の種類を前記通信親機と前記通信子機との間で共通な通信の種類である共通情報通信を選択して情報交換することを特徴とする冷凍・空調装置の制御方法。
【請求項８】
前記選択ステップの後で前記イニシャル設定コマンド信号に続く制御情報を有する通常コマンド信号にて拡張情報を識別する情報識別ステップと、を備えたことを特徴とする請求項７記載の冷凍・空調装置の制御方法。
【請求項９】
前記情報識別ステップで識別される制御情報の信号は、識別後別の内容に解釈されて制御が行われることを特徴とする請求項８記載の冷凍・空調装置の制御方法。
【発明の詳細な説明】
【技術分野】
【０００１】
この発明は、冷凍・空調装置の冷凍サイクルの熱源側である室外機と負荷側である室内機との間で制御内容について情報交換される通信の標準化に関するものである。
【背景技術】
【０００２】
従来、多くの会社が多種多様な冷凍・空調装置を製造しており、例えば同じ会社内でも業務用および家庭用空調装置を組み合わせた異種混在型空調装置システムを構築する場合、双方が用いる通信方式に互換性がないため、通信方式や情報量の差を補うための通信変換装置を介して、互いの情報交換を可能としていた。例として業務用空調装置システムは、室内機に設けられたユニットリモコンや、複数システムの一括管理可能な上位系集中管理リモコンなどにより操作され、且つ１台や複数の業務用室外機・室内機は、業務用空調装置内外通信にて、必要な制御情報を交換し合う。一方、家庭用空調装置システムは、室内機毎に付属されるワイヤレスリモコンにより操作される。通常１対１対応で設けられた家庭用室外機・室内機は、家庭用空調装置内外通信にて、多くの機能が可能な付属機器に対し必要な制御情報を交換し合う。
【０００３】
業務用空調装置内外通信と家庭用空調装置内外通信は、それぞれ事務所や店舗などの不特定多数が居住する大スペース空間の空調、住宅などの特定少数が居住する小スペース空間の空調という異なる視点のもとに開発され、独自に製造されていたため互換性がない。このような異なる通信方式を有する複数の空調装置を用いてシステムを構築する場合、第三の機器が介在し通信方式を切り替える方法（例えば、特許文献１参照）、第三の機器が介在して通信データを翻訳する方法（例えば、特許文献２参照）がある。また、通信親機に設けられたスイッチを操作することにより手動で通信方式を切り替えたり、通信親機自身が複数の通信方式を自動切り替えする方法もある（例えば、特許文献３参照）。
【０００４】
【特許文献１】特開平５−２７２７９６号公報（０００９、００１０欄）
【特許文献２】特開２００２−９８３９４号公報（００１５、００１６欄）
【特許文献３】特開平１０−６８５４６号公報（０００４、０００５、０００６欄）
【発明の開示】
【発明が解決しようとする課題】
【０００５】
従来の冷凍・空調装置システムの構築においては、事務所や店舗では業務用室外機と業務用室内機を組み合わせ、住宅などでは家庭用室外機と家庭用室内機を組み合わせは可能であるが、異なる種類間の組合せやあるいは他社製品との組合せなどは通信が合わないという問題があった。このため、異なる種類の室外機と室内機を組み合わせる場合は、双方が用いる通信方式に互換性がないため、通信方式や情報量の差を補うための通信変換装置を介しており、開発費および開発負荷が増大するという問題点がある。また、全部の通信方式を標準化し、第三の機器を介さない相互接続の実現による開発費や開発効率の改善しようとしても、通信方式や通信用機器のみならず空調装置が要求される機能は日々変化しており総合的な見直しは費用がかかりすぎるし実際的に不可能である。特に、室外機と室内機の一方が既設機であったり、新たに空調装置システムを構築する場合でもそのつど開発が必要となるし、既存の空調装置から選択して採用する場合は制約が多く、対象とする空間に必要なシステムを構築できないという問題があった。更に従来の技術では、第三の通信機器が必要となったり、空調装置に複数の異なる通信回路および通信プログラムが必要となったりと、設計や設置の手間が増えるだけでなく、装置を改造するなどコストという面で問題がある。
【０００６】
この発明は、上記のような課題を解決するためになされたもので、本発明は、簡単な構成で異種混在型冷凍・空調装置システムの構築や将来の機能の増加や空調システムの拡張、変更を可能とし、低コストで効率良く開発できる装置、方法を得ることを目的とする。
【０００７】
また、本発明は、新設と既設、種類の違い、冷凍・空調目的の違いなど各種各様な状況に応じ必要な室外機と室内機の組み合わせや変更を行っても通信システムを簡単に実現できる実用的な装置、方法を得ることを目的とする。
【課題を解決するための手段】
【０００８】
本発明の冷凍・空調装置は、冷凍サイクルの圧縮機を搭載し熱源側として設けられる室外機と、室外機と冷媒用配管で接続され冷媒を循環して空気を空調する負荷側として設けられる室内機と、室外機及び室内機の一方の制御を行う通信親機と、通信親機と接続され通信親機と異なる種類の通信に対応する室外機及び室内機の他方の制御を行う通信子機と、通信親機のイニシャル設定コマンド信号に設けられ通信親機と通信子機の間の制御内容の情報交換をする通信の種類の選択を行う通信対応手段と、を備え、通信対応手段は通信親機と通信子機の通信の種類を通信親機と通信子機との間で共通な通信の種類である共通情報通信を選択し情報交換するものである。
【０００９】
本発明の冷凍・空調装置の制御方法は、室外機及び室内機の一方の制御を行う通信親機と接続され室外機及び室内機の他方の制御を行う通信子機との間で、通信親機と通信子機が異なる種類の通信を行う通信確認ステップと、通信確認ステップにて通信親機のイニシャル設定コマンド信号により通信親機と通信子機の間で制御内容の情報交換による通信の種類の選択を行う選択ステップと、選択ステップにて選択された通信の種類で室外機及び室内機の運転の制御を行うステップと、を備え、選択ステップは通信親機と通信子機の通信の種類を通信親機と通信子機との間で共通な通信の種類である共通情報通信を選択して情報交換するものである。
【発明の効果】
【００１０】
本発明は、室外機と室内機の種類を混合組合せしたり、新設機と既設機の組合せなど通信の種類が異なる間でも簡単に接続して運転できる装置、方法が得られるものである。又本発明は、更なる冷凍・空調負荷や冷凍・空調機能の増加など状態の変化に対応でき、扱いやすいフレキシブルなシステムが得られるものである。
【発明を実施するための最良の形態】
【００１１】
実施の形態１．
この発明に係る通信方式では、先ず従来の空調側のオンオフなど制御の基本だけを情報交換する通信を行う業務用空調装置内外通信を、Ａ制御通信と称しそのコマンド信号体系および手順を踏襲する基本的な通信形態とする。即ち基本情報だけを必要とする制御通信をＡ制御情報と称する。このＡ制御情報と拡張情報（以下、Ｒ制御情報と称す）の双方を必要とする多機能化通信（以下、Ａ＋Ｒ制御通信と称す）を次に考える。この多機能化とは例えば風速や風向の機能拡充、あるいは除湿機能の追加など空調に関する新たな拡張情報を含むものを制御できるものである。通信用の信号の構成である通信コマンドとしては、自己が行える通信を他に伝達するためのイニシャルモニタコマンドと、システムで用いる通信形態を指令するイニシャル設定コマンドと、通信形態決定後の通常通信にて用いられる通常コマンドとがある。イニシャルモニタコマンドには、Ａ制御通信のみを行えることを意味するコマンド（以下、ＩＮＩ  ＭＯＮＩ  ＣＭＤ  Ａと称す）と、Ａ＋Ｒ制御通信のみを行えることを意味するコマンド（以下、ＩＮＩ  ＭＯＮＩ  ＣＭＤ  ＡＲと称す）と、いずれの通信でも選択して行えることを意味するコマンド（以下、ＩＮＩ  ＭＯＮＩ  ＣＭＤ  AＡＲと称す）とがある。混合通信の例として業務用空調装置内外通信と家庭用空調装置内外通信の混在で説明する。イニシャル設定コマンドには、システムでＡ制御通信を用いることを指令するコマンド（以下、ＩＮＩ  ＳＥＴ  ＣＭＤ  Ａと称す）と、Ａ＋Ｒ制御通信を用いることを指令するコマンド（以下、ＩＮＩ  ＳＥＴ  ＣＭＤ  ＡＲと称す）とがある。通常コマンドにはＡ制御情報を有するコマンド（以下、ＣＭＤｘ  Ａ（ｘ＝１，２，３）と称す）と、Ｒ制御情報を有するコマンド（以下、ＣＭＤｘ  Ｒ（ｘ＝１，２，３）と称す）とがある。
【００１２】
この発明に係る冷凍・空調装置システムの室外機と室内機の組合せを図１、図３、図５にて説明する。図１、図３、図５において、通信親機プログラムを搭載した室外機と、通信子機プログラムを搭載した室内機を備えるもので、室外機には、Ａ制御通信のみを行える装置１（以下、ＯＣ  Ａと称す）と、Ａ＋Ｒ制御通信のみを行える装置５（以下、ＯＣ  ＡＲと称す）と、いずれかの通信をも選択して行える装置６（以下、ＯＣ  ＡＡＲと称す）とがある。室内機には、Ａ制御通信のみを行える装置２（以下、ＩＣ  Ａと称す）と、Ａ＋Ｒ制御通信のみを行える装置３（以下、ＩＣ  ＡＲと称す）と、いずれの通信でも選択して行える装置４（以下、ＩＣ  ＡＡＲと称す）とがある。なお、従来の業務用室外機、室内機はそれぞれＯＣ  Ａ１、ＩＣ  Ａ２に分類される。また、新たに開発される業務用および家庭用室外機はＯＣ  Ａ１、ＯＣ  ＡＲ５、ＯＣ  ＡＡＲ６のいずれかに分類され、新たに開発される業務用および家庭用室内機はＩＣ  Ａ２、ＩＣ  ＡＲ３、ＩＣ  ＡＡＲ４のいずれかに分類される。
【００１３】
この発明の通信方式は、従来のＡ制御通信のコマンド体系および手順を踏襲しているため、従来の業務用空調装置と、新たに開発される業務用空調装置と、新たに開発される多機能家庭用空調装置との組み合わせで、新旧含めた異種混在型空調装置システムの構築が可能である。更にこの発明の通信方式は、各コマンドを複数の形態に使い分けるという概念を取り入れているため、新たな形態追加による機能の拡張が可能である。ここでは、通信形態を決定するまでの流れを説明する。
【００１４】
先ずＯＣ  Ａ１を通信親機とするシステム構成について触れる。親機は基本情報だけの通信が可能なシステムに相当する。図１はこの発明の実施の形態１におけるシステム構成図を、図２はこの発明の実施の形態１におけるイニシャル通信フェンスチャートを示すものである。なおフェンスチャートとは通信の流もしくは手順を示す図である。図１のどの組合せ構成においても、ＯＣ  Ａ１に対しＩＣ  Ａ２とＩＣ  ＡＡＲ４とが単独もしくは混在して接続されている。なお、図１のバツで示す様に、このシステムでは、共通の信号の種類であるＡ制御情報のみを交換するため、Ｒ制御情報をも必要とするＩＣ  ＡＲ３を組み込むことはできない。
【００１５】
次に動作について説明する。図２の様に、ＯＣ  Ａ１に対しＩＣ  Ａ２とＩＣ  ＡＡＲ４とが接続されているシステムについて述べる。まず、通信親機であるＯＣ  Ａ１が、コマンドＩＮＩ  ＭＯＮＩ  ＣＭＤ  Ａを、親機に接続されている２台の通信子機であるＩＣ  Ａ２とＩＣ  ＡＡＲ４に対して同時に送信する。それに対して、ＩＣ  Ａ２はＩＮＩ  ＭＯＮＩ  ＣＭＤ  Ａを、ＩＣ  ＡＡＲ４はＩＮＩ  ＭＯＮＩ  ＣＭＤ  ＡＡＲを応答する(順不同)。ＯＣ  Ａ１は、すべての応答を受信した後、各通信子機に対してＩＮＩ  ＳＥＴ  ＣＭＤ  Ａを送信し、通常通信にてＡ制御通信を用いるように指示する。子機のうちＩＣ  ＡＡＲ４は親機からのこの指示によりＡ制御通信を選択する。以上のような流れで、Ａ制御通信が選択され、基本情報だけによる通信システムでの通信が構築される。
【００１６】
次に図３に示す様にＯＣ  ＡＲ５を通信親機とするシステム構成について触れる。これは機能拡張が可能な多機能化空調装置システムに相当する。図３はこの発明の別のシステム構成図を、図４はこの発明における別の通信の流れもしくは手順を示す図であるイニシャル通信フェンスチャートを示すものである。図３において、ＯＣ  ＡＲ５に対しＩＣ  ＡＲ３とＩＣ  ＡＡＲ４とが単独もしくは混在して接続されている。なお、このシステムでは、図３のバツが示す様にＡ制御情報およびＲ制御情報を交換するため、Ｒ制御情報の認識が不可能なＩＣ  Ａ２単独もしくはこれを含む通信システムを組み込むことはできない。
【００１７】
次に動作について図４にて、ＯＣ  ＡＲ５に対しＩＣ  ＡＲ３とＩＣ  ＡＡＲ４とが接続されているシステムについて説明する。まず、通信親機であるＯＣ  ＡＲ５が、ＩＮＩ  ＭＯＮＩ  ＣＭＤ  ＡＲを、通信子機であるＩＣ  ＡＲ３及びＩＣ  ＡＡＲ４に対して同時に送信する。それに対して、ＩＣ  ＡＲ３はＩＮＩ  ＭＯＮＩ  ＣＭＤ  ＡＲを、ＩＣ  ＡＡＲ４はＩＮＩ  ＭＯＮＩ  ＣＭＤ  ＡＡＲを応答する(順不同)。ＯＣ  ＡＲ５は、すべての応答を受信した後、通信子機に対してＩＮＩ  ＳＥＴ  ＣＭＤ  ＡＲを送信し、通常通信にて通信システムが接続された全ての子機に対しＡ＋Ｒ制御通信を用いるように指示する。ＩＣ  ＡＡＲ４はこの指示によりＡ＋Ｒ制御通信を選択する。以上のような流れで、Ａ＋Ｒ制御通信が選択され、この通信システムとして機能拡張が可能な多機能化空調装置システムが構築される。
【００１８】
次にＯＣ  ＡＡＲ６を通信親機とするシステム構成について説明する。この場合、通信子機の種類に依存するが、従来の業務用空調装置システムもしくは機能拡張が可能な多機能化空調装置システムのいずれか一方に相当する。図５はこの発明の別のシステム構成図を、図６および７はこの発明の別のイニシャル通信フェンスチャートを示すものである。図５において、親機ＯＣ  ＡＡＲ６に対しＩＣ  Ａ２とＩＣ  ＡＲ３とＩＣ  ＡＡＲ４とが単独もしくは混在して接続されている通信システムである。ただし、図５のバツが示す様にこのシステムでは、Ｒ制御情報の認識が不可能なＩＣ  Ａ２と、Ｒ制御情報をも必要とするＩＣ  ＡＲ３を混在する通信システムは使用できない。
【００１９】
次に動作について説明する。ここでは、図６に示す様に、親機ＯＣ  ＡＡＲ６に対しＩＣ  Ａ２とＩＣ  ＡＡＲ４とが接続されているシステムについて述べる。まず、通信親機であるＯＣ  ＡＡＲ６が、ＩＮＩ  ＭＯＮＩ  ＣＭＤ  ＡＡＲを、通信子機であるＩＣ  Ａ２及びＩＣ  ＡＡＲ４に対して同時に送信する。それに対して、ＩＣ  Ａ２はＩＮＩ  ＭＯＮＩ  ＣＭＤ  Ａを、ＩＣ  ＡＡＲ４はＩＮＩ  ＭＯＮＩ  ＣＭＤ  ＡＡＲを応答する(順不同)。親機ＯＣ  ＡＡＲ６は、Ｒ制御情報の認識不可能な通信子機である室内機が存在するので、接続されている全ての通信子機に対してＩＮＩ  ＳＥＴ  ＣＭＤ  Ａを送信し、通常通信にて全ての子機がＡ制御通信を用いるように指示する。ＩＣ  ＡＡＲ４はこの指示によりＡ制御通信を選択する。以上のような流れで、Ａ制御通信が選択され、基本情報の通信システムが構築される。
【００２０】
次に図７により、機能拡張情報が可能な多機能化空調装置システムが構築される例として、ＯＣ  ＡＡＲ６に対しＩＣ  ＡＲ３及びＩＣ  ＡＡＲ４とが接続されているシステムについて述べる。まず、通信親機であるＯＣ  ＡＡＲ６が、ＩＮＩ  ＭＯＮＩ  ＣＭＤ  ＡＡＲを、通信子機であるＩＣ  ＡＲ３及びＩＣ  ＡＡＲ４に対して同時に送信する。それに対して、ＩＣ  ＡＲ３はＩＮＩ  ＭＯＮＩ  ＣＭＤ  ＡＲを、ＩＣ  ＡＡＲ４はＩＮＩ  ＭＯＮＩ  ＣＭＤ  ＡＡＲを応答する(順不同)。通信親機であるＯＣ  ＡＡＲ６は、すべての通信子機である室内機がＲ制御情報を認識できるので、全ての通信子機に対してＩＮＩ  ＳＥＴ  ＣＭＤ  ＡＲを送信し、通常通信にてＡ＋Ｒ制御通信を用いるように指示する。通信子機であるＩＣ  ＡＡＲ４はこの指示によりＡ＋Ｒ制御通信を選択する。以上のような流れで、Ａ＋Ｒ制御通信が選択され、機能拡張が可能な多機能化空調装置システムが構築される。
【００２１】
次に、図８にて通信形態が決定されるイニシャル通信および、通常通信での通信親機・子機間の情報交換について説明する。図８は、基本情報が通信されるシステム、すなわちＡ制御通信が選択されたシステムにおけるイニシャル通信および通常通信フェンスチェートで、ＯＣ  ＡＡＲ６とＩＣ  Ａ２の組み合わせを例としたものである。まず、ＯＣ  ＡＡＲ６及びＩＣ  Ａ２は前述の図８（イ）（ロ）信号ようなイニシャル通信を実施し、通信の種類である形態としてＡ制御通信が選択される。その後は、一定間隔で発生する定時通信タイミング毎にＯＣ  ＡＡＲ６から通信を開始する。図８（ハ）信号においては、最初の定時通信タイミングではＯＣ  ＡＡＲ６がＣＭＤ１  ＡおよびＣＭＤ２  Ａを送信し、それに対しＩＣ  Ａ２がＣＭＤ３  Ａを応答している。このような流れで定時通信タイミング毎に基本情報であるＡ制御情報のみを交換し合う。
【００２２】
図９は、機能拡張が可能な多機能化空調装置システム、すなわちＡ＋Ｒ制御通信が選択されたシステムにおけるイニシャル通信および通常通信フェンスチェートで、ＯＣ  ＡＡＲ６とＩＣ  ＡＡＲ４の組み合わせを例として説明したものである。まず、ＯＣ  ＡＡＲ６とＩＣ  ＡＡＲ４は図９（イ）（ロ）信号に示す前述のようなイニシャル通信を実施し、Ａ＋Ｒ制御通信が選択される。その後は、一定間隔で発生する定時通信タイミング毎にＯＣ  ＡＡＲ６から通信を開始する。図９（ハ）信号においては、最初の定時通信タイミングではＯＣ  ＡＡＲ６がＣＭＤ１  ＡおよびＣＭＤ２  Ａを送信し、それに対しＩＣ  ＡＡＲ４がＣＭＤ３  Ａを応答している。次の定時通信タイミングではＯＣ  ＡＡＲ６がＣＭＤ１  ＲおよびＣＭＤ２  Ｒを送信し、それに対しＩＣ  ＡＡＲ４がＣＭＤ３  Ｒを応答している。このような流れで定時通信タイミング毎にＡ制御情報、Ｒ制御情報を交互に交換し合う。以上のように、イニシャル通信において通信の種類である通信形態が選択され、その後で制御情報が基本情報と拡張情報が交互に情報交換して必要な制御情報が交換される。
【００２３】
次にイニシャル通信コマンドについて説明する。図１０は、イニシャルモニタコマンドおよびイニシャル設定コマンドのデータ構造を示すものである。図１０において、送信側が対応する通信形態を示す情報（以下、通信対応ビットと称す）および、システムで用いる通信形態を示す情報（以下、通信切り替えビットと称す）が割り当てられている。送信側は、ＩＮＩ  ＭＯＮＩ  ＣＭＤ  Ａを送信する場合は、通信対応ビットをＡ制御通信とし、ＩＮＩ  ＭＯＮＩ  ＣＭＤ  ＡＲを送信する場合は、通信対応ビットをＡ＋Ｒ制御通信とし、ＩＮＩ  ＭＯＮＩ  ＣＭＤ  ＡＡＲを送信する場合は、通信対応ビットをＡ＆Ａ＋Ｒ制御通信とする。受信側は、このビットを参照し相手の通信形態を判断する。また、通信親機である室外機が通信子機である室内機に対して、ＩＮＩ  ＳＥＴ  ＣＭＤ  Ａを送信する場合は、通信切り替えビットをＡ制御通信とし、ＩＮＩ  ＳＥＴ  ＣＭＤ  ＡＲを送信する場合は、通信切り替えビットをＡ＋Ｒ制御通信とする。
【００２４】
以上のように、通信対応ビットを用いて通信親機・子機間で互いの通信形態を交換し合い、通信切り替えビットを用いて通信親機から子機に対してシステムで用いる通信形態を指示することにより、通信形態を自動的に切り替えることが可能である。図８、図９に示す様に、通信形態を選択するまでをイニシャル通信とし、通信形態を選択後の通信を通常通信とし、通常通信で使用されるコマンドを通常コマンドとしている。イニシャル通信では空調システムを制御するために必要な情報、例えば、冷房専用か冷暖房兼用かなどの機種情報、国内や海外などの使用電圧の違いなど、を室外と室内の相互に交換し、更に通常通信では運転制御情報、例えば、運転停止、ドライや冷房などの運転モード、各種温度情報など、刻々と変化する空調装置使用者の指令状況、空調装置の運転状態を相互に交換する。
【００２５】
ここでは、通常通信のコマンドについて説明する。図１１は、通常コマンドのデータ構造を示すものである。図１１において、当該コマンドにおいてＡ制御情報、Ｒ制御情報のいずれが付加されているかを示す情報（以下、情報識別ビットと称す）が割り当てられている。送信側は、ＣＭＤｘ  Ａ（ｘ＝１，２，３）を送信する場合は、情報識別ビットをＡ制御情報とし、ＣＭＤｘ  Ｒ（ｘ＝１，２，３）を送信する場合は、情報識別ビットをＲ制御情報とする。受信側は、このビットを参照し情報を識別する。例えば、送信側が、運転／停止指令を伝達する場合は情報識別ビットをＡ制御情報として通常コマンドを送信し、空調として追加した機能である涼感制御ＯＮ／ＯＦＦ指令を伝達する場合は、情報識別ビットをＲ制御情報として通常コマンドを送信する。受信側は、情報識別ビットを参照し制御情報としては同一ビッドの信号でも通信の種類によって運転／停止指令か涼感制御ＯＮ／ＯＦＦ指令かを判断する。なお、Ａ制御通信が選択された場合、Ｒ制御通信は送受信されないが、ＯＣ  ＡＡＲ及びＩＣ  ＡＡＲはこの識別ビットを参照しＡ制御情報と識別するものとする。この様にＯＣ  ＡＡＲ及びＩＣ  ＡＡＲは、Ａ制御情報を解析する処理と、Ｒ制御情報を解析する処理の２種類を有しているが、どちらの情報として解析するかは情報識別ビットで処理する。これによって、他からの信号を自己が理解できる信号に変換処理でき、通信の種類である通信形態に依存しない受信解析処理を構築することが出来る。以上のように、情報識別ビットを用いて通信親機・子機間で情報を交換し合うことにより、１つのコマンドで複数の情報を交換することが可能である。上記説明で、ＣＭＤｘ  Ａ（ｘ＝１，２，３）の如く、通常コマンドにはＡ制御情報を有するコマンドも受けているが、このように１、２、３などと分けて、運転停止などの操作情報、各種温度情報、空調機の状態情報、以上情報などを区分けしている。
【００２６】
以上説明してきた様に、Ａ制御通信、Ａ＋Ｒ制御通信の２形態について記載しているが、
前述の通信対応ビット、通信切り替えビットおよび情報識別ビットそれぞれの構成要素を追加することにより、第１段階の拡張情報涼感制御情報など、第２段階の拡張情報として除湿制御情報等、第３段階拡張情報として酸素供給などの空気質制御情報などの様にさらに多くの通信形態に対応できるものとする。又基本情報として運転／停止指令を上げているが何を基本情報とするかは室外機と室内機の組合せ、言いかえると対象とする通信親機と通信子機の組合せにおける制御情報の内容から基本情報と拡張情報を決めれば良い。又、室外機に通信親機を、室内機に通信子機を設けた例で説明してきたが、この反対に室内機を通信親機とし、室外機を通信子機としても良いことは、室内機へ送信されたリモコンや外部の携帯電話からの制御信号が室外機へも伝送され室外機、室内機一体となって空調装置の制御が行われることからも当然である。
【００２７】
本発明の通信対応手段は拡張情報の有無及び拡張情報の異同に基づいて通信の種類の選択を行う。即ち本発明では、通信対応ビット、通信切換えビット、情報識別ビットをＡ、Ｒ等区分けして説明している。これにより基本情報であるＡ制御情報だけでなく、拡張情報であるＲ制御情報の送受信を行えるようにしている。但し、拡張情報は有限の情報量であり、更に各ビットに新たにＢ制御情報、Ｃ制御情報などという別の拡張情報を追加して標準を崩さずに新機種、新機能、新製品対応の処理が出来るようになる。このように新たな形態を追加して情報量をふやし、Ａ＋Ｂ制御通信や、Ａ＋Ｒ＋Ｂ制御通信の構築を可能にしている。これによりＡ制御だけ、即ち基本制御だけで拡張情報が無い場合、Ｒ制御という拡張制御の存在やあるいはＲ制御とＢ制御のどちらかや有無、あるいは異同の判断により共通情報通信の判断が行える。又本発明のように通信方式を、制御内容に応じて基本情報と拡張情報に区分けし、図１０、図１１の様に定義されたコマンドを共通信号として共通化することによりコマンド体系の統一が行える。更に本発明の手順を踏んで通信形態の切換えにより、基本情報、拡張情報を交換するなど手順を統一し、両方の情報の差である情報量の差分を判断して処理することで、即ちＡかＲかの制御の違いで特定のコマンドの役割である情報の内容が異なり複数の形態に使い分けることが出来る。更に本発明では、図１０のイニシャル通信におけるコマンドデータ構造における通信対応ビッドと通信切換えビッド、図１２の通常通信におけるコマンドデータ構造における情報識別ビッドの様に、両方のコマンドデータ構造共に通信形態を判別できる構成にしてある。これにたいし、Ａ制御通信が選択された場合、情報識別ビッドは必然的にＡ制御情報となり、本来通信形態の判断は不要になり且つその方がプログラムがシンプルになるが、処理を共通化するためあえて判断し通信を標準化している。
【００２８】
なお、本発明の実施の形態では冷凍・空調装置として業務用エアコンと家庭用エアコンの例を中心に取り上げてきたが、この通信形態を他の空調装置、例えば、換気空調装置や、燃焼系装置を搭載する空調装置および、他の通信方式へのデータ変換装置などへの展開もできる。更に同じように冷凍サイクルで室内機と室外機に区分けされ、この両方の装置間を通信で接続して運転停止や制御を行う機種、例えば冷凍倉庫などの冷凍サイクルを有する冷凍装置、あるいはショーケースなどの冷蔵装置、あるいはエアコンとショーケースを複合して１つ又は２つの冷媒サイクルを制御することによりエネルギーの低減を図るシステムである冷凍・空調装置などに対しても、この発明の通信の標準化が適用でき、同じ効果が得られる。
【００２９】
本発明の冷凍・空調装置は、冷凍サイクルの圧縮機を搭載し屋外に設置される室外機と、室外機と冷媒用配管で接続され前記室外機と異なる機能および制御内容を有し搭載ファンにより空調した空気を設置された屋内に吹き出す室内機とがあり、事務所や店舗などの不特定多数が居住する大スペース空間の空調を目的とする業務用空調装置、住宅などの特定少数が居住する小スペース空間の空調を目的とする多機能家庭用空調装置、冷蔵庫など自由な組み合わせが簡単に構成できる。
【００３０】
本発明の冷凍・空調装置は、冷凍サイクルの圧縮機を搭載し屋外に設置される室外機と、室外機と冷媒用配管で接続され室外機と異なる機能および制御内容を有し搭載ファンにより空調した空気を設置された屋内に吹き出す室内機とがあり、事務所や店舗などの不特定多数が居住する大スペース空間の空調を目的とする従来の業務用空調装置と、業務用空調装置と同一目的を有する新たに開発される業務用空調装置、あるいは業務用冷蔵庫などの組み合わせを簡単に構成できる。
【００３１】
本発明の冷凍・空調装置は、冷凍サイクルの圧縮機を搭載し屋外に設置される室外機と、室外機と冷媒用配管で接続され室外機と異なる機能および制御内容を有し搭載ファンにより空調した空気を設置された屋内に吹き出す室内機とがあり、事務所や店舗などの不特定多数が居住する大スペース空間の空調を目的とする従来の業務用空調装置と、住宅などの特定少数が居住する小スペース空間の空調を目的とする新たに開発される多機能家庭用空調装置等の組み合わせを簡単に構成できる。
【００３２】
本発明の冷凍・空調装置は、冷凍サイクルの圧縮機を搭載し屋外に設置される室外機と、室外機と冷媒用配管で接続され室外機と異なる機能および制御内容を有し搭載ファンにより空調した空気を設置された屋内に吹き出す室内機とがあり、事務所や店舗などの不特定多数が居住する大スペース空間の空調を目的とする新たに開発される業務用空調装置と、住宅などの特定少数が居住する小スペース空間の空調を目的とする新たに開発される多機能家庭用空調装置等の組み合わせを簡単に構成できる。
【００３３】
本発明の冷凍ちう・空調装置は、冷凍サイクルの圧縮機を搭載し屋外に設置される室外機と、室外機と冷媒用配管で接続され室外機と異なる機能および制御内容を有し搭載ファンにより空調した空気を設置された屋内に吹き出す室内機とがあり、事務所や店舗などの不特定多数が居住する大スペース空間の空調を目的とする従来の業務用空調装置と、業務用空調装置と同一目的を有する新たに開発される業務用空調装置と、住宅などの特定少数が居住する小スペース空間の空調を目的とする新たに開発される多機能家庭用空調装置等の組み合わせを簡単に構成できる。
【００３４】
本発明の冷凍・空調装置は、冷凍サイクルの圧縮機を搭載し屋外に設置される室外機と、室外機と冷媒用配管で接続され室外機と異なる機能および制御内容を有し搭載ファンにより空調した空気を設置された屋内に吹き出す室内機とがあり、事務所や店舗などの不特定多数が居住する大スペース空間の空調を目的とする新たに開発される業務用空調装置のみ等の組み合わせを簡単に構成できる。
【００３５】
本発明の冷凍・空調装置は、冷凍サイクルの圧縮機を搭載し屋外に設置される室外機と、室外機と冷媒用配管で接続され室外機と異なる機能および制御内容を有し搭載ファンにより空調した空気を設置された屋内に吹き出す室内機とがあり、住宅などの特定少数が居住する小スペース空間の空調を目的とする新たに開発される多機能家庭用空調装置のみ等の組み合わせを簡単に構成できる。
【００３６】
本発明は、冷凍サイクルの圧縮機を搭載し屋外に設置される業務用室外機と、室外機と冷媒用配管で接続され室外機と異なる機能および制御内容を有し搭載ファンにより空調した空気を設置された事務所や店舗などの大スペース屋内に吹き出す業務用室内機等において、室外機一台に対して室内機一台もしくは複数台の組み合わせを簡単に構成できる。
【００３７】
本発明は、冷凍サイクルの圧縮機を搭載し屋外に設置される業務用室外機と、室外機と冷媒用配管で接続され室外機と異なる機能および制御内容を有し搭載ファンにより空調した空気を設置された住宅などの小スペース屋内に吹き出す家庭用室内機等において、室外機一台に対して室内機一台もしくは複数台の組み合わせを簡単に構成できる。
【００３８】
本発明は、冷凍サイクルの圧縮機を搭載し屋外に設置される業務用室外機と、室外機と冷媒用配管で接続され室外機と異なる機能および制御内容を有し搭載ファンにより空調した空気を設置された事務所や店舗などの大スペース屋内に吹き出す業務用室内機と、室外機と冷媒用配管で接続され室外機および室内機と異なる機能および制御内容を有し搭載ファンにより空調した空気を設置された住宅などの小スペース屋内に吹き出す家庭用室内機等において、室外機一台に対して各室内機一台もしくは複数台の組み合わせを簡単に構成できる。
【００３９】
本発明は、冷凍サイクルの圧縮機を搭載し屋外に設置される家庭用室外機と、室外機と冷媒用配管で接続され室外機と異なる機能および制御内容を有し搭載ファンにより空調した空気を設置された事務所や店舗などの大スペース屋内に吹き出す業務用室内機等において、室外機一台に対して室内機一台もしくは複数台の組み合わせを簡単に構成できる。
【００４０】
本発明は、冷凍サイクルの圧縮機を搭載し屋外に設置される家庭用室外機と、室外機と冷媒用配管で接続され室外機と異なる機能および制御内容を有し搭載ファンにより空調した空気を設置された住宅などの小スペース屋内に吹き出す家庭用室内機等において、室外機一台に対して室内機一台もしくは複数台の組み合わせを簡単に構成できる。
【００４１】
本発明は、冷凍サイクルの圧縮機を搭載し屋外に設置される家庭用室外機と、室外機と冷媒用配管で接続され室外機と異なる機能および制御内容を有し搭載ファンにより空調した空気を設置された事務所や店舗などの大スペース屋内に吹き出す業務用室内機と、室外機と冷媒用配管で接続され室外機および室内機と異なる機能および制御内容を有し搭載ファンにより空調した空気を設置された住宅などの小スペース屋内に吹き出す家庭用室内機等において、室外機一台に対して各室内機一台もしくは複数台の組み合わせを簡単に構成できる。
【００４２】
この発明は、従来のＡ制御通信のコマンド体系および手順を踏襲しているため、従来の業務用空調装置と、新たに開発される業務用空調装置と、新たに開発される多機能家庭用空調装置等の組み合わせで、新旧含めた異種混在型空調装置システムの構築が可能であるという効果を有する。また、この発明の通信方式は、各コマンドを複数の形態に使い分けるという概念を取り入れているため、新たな形態追加による機能の拡張が可能であるという効果を有する。
【００４３】
本発明は、小規模事務所や大形住宅などの中スペース空間の空調を目的として、業務用空調装置および家庭用空調装置は、それぞれ重複した空間を対象に独自に開発が進められており、開発費や開発効率という点で改善されるものである。更に家庭用空調装置においては、業務用空調装置が得意とするグループ制御対応やマルチ対応などへの要望があり、業務用空調装置においては、家庭用空調装置が得意とする多機能化への要望がある。また、家庭用室内機と、低外気冷房や長尺配管接続での使用を得意とする業務用室外機とを組み合わせたいとの要望があるがこの発明はこれらの要望を、開発費および開発負荷は増大させずに実現できる。
【図面の簡単な説明】
【００４４】
【図１】この発明の実施の形態１におけるシステム構成図である。
【図２】この発明の実施の形態１において、Ａ制御通信が選択されるまでの流れを示すイニシャル通信フェンスチャートである。
【図３】この発明の実施の形態１における別のシステム構成図である。
【図４】この発明の実施の形態１において、Ａ＋Ｒ制御通信が選択されるまでの流れを示すイニシャル通信フェンスチャートである。
【図５】この発明の実施の形態１における別のシステム構成図である。
【図６】この発明の実施の形態１において、別のＡ制御通信が選択されるまでの流れを示すイニシャル通信フェンスチャートである。
【図７】この発明の実施の形態１において、別のＡ＋Ｒ制御通信が選択されるまでの流れを示すイニシャル通信フェンスチャートである。
【図８】この発明の実施の形態１において、別のＡ制御通信を選択するシステムにおけるイニシャル通信と通常通信の関係を示すフェンスチャートである。
【図９】この発明に実施の形態１において、別のＡ＋Ｒ制御通信を選択するシステムにおけるイニシャル通信と通常通信の関係を示すフェンスチャートである。
【図１０】この発明の実施の形態１おいて、イニシャル通信コマンドのデータ構造を示すものである。
【図１１】この発明の実施の形態１において、通常通信コマンドのデータ構造を示すものである。
【符号の説明】
【００４５】
OC  A１        Ａ制御通信のみに対応する通信親機（室外機）
OC  AR５        Ａ＋Ｒ制御通信のみに対応する通信親機（室外機）
OC  AAR６        Ａ制御通信およびＡ＋Ｒ制御通信の切り替えに対応する通信親機（室外機）
IC  A２        Ａ制御通信のみに対応する通信子機（室内機）
IC  AR３        Ａ＋Ｒ制御通信のみに対応する通信子機（室内機）
IC  AAR４        Ａ制御通信およびＡ＋Ｒ制御通信の切り替えに対応する通信子機（室内機）
INI  MONI  CMD  A    Ａ制御通信のみに対応することを示すイニシャルモニタコマンド
INI  MONI  CMD  AR    Ａ＋Ｒ制御通信のみに対応することを示すイニシャルモニタコマンド
INI  MONI  CMD  AAR    Ａ制御通信およびＡ＋Ｒ制御通信の切り替えに対応することを示すイニシャルモニタコマンド
INI  SET  CMD  A    Ａ制御通信の選択を指令するイニシャル設定コマンド
INI  SET  CMD  AR    Ａ＋Ｒ制御通信の選択を指令するイニシャル設定コマンド
CMD1  A    Ａ制御情報を有する通常コマンド１
CMD2  A    Ａ制御情報を有する通常コマンド２
CMD3  A    Ａ制御情報を有する通常コマンド３
CMD1  R    Ｒ制御情報を有する通常コマンド１
CMD2  R    Ｒ制御情報を有する通常コマンド２
CMD3  R    Ｒ制御情報を有する通常コマンド３。
【図１】
2005249337.tif 000003
【図２】
2005249337.tif 000004
【図３】
2005249337.tif 000005
【図４】
2005249337.tif 000006
【図５】
2005249337.tif 000007
【図６】
2005249337.tif 000008
【図７】
2005249337.tif 000009
【図８】
2005249337.tif 000010
【図９】
2005249337.tif 000011
【図１０】
2005249337.tif 000012
【図１１】
2005249337.tif 000013